(57)【要約】      （修正有）【課題】係止具で固定されている屋根材を撤去するために、屋根材を固定している係止具を取り外す際、係止具の周辺の屋根材を好適に切削することができる屋根材取り外し補助工具を実現する。【解決手段】屋根材（野地板Ｐ１、波板Ｐ２）を固定している係止具Ｇを取り外すために、屋根材取り外し補助工具１００を用いて係止具Ｇの周辺の屋根材を切削するように円筒状刃物１０を回転させる場合、係止具Ｇを保持している保持部２０を支持する伸縮軸部３０の少なくとも一部が円筒状刃物１０に対し空転するので、円筒状刃物１０が屋根材を切削する回転力は係止具Ｇには作用せず、その係止具Ｇに負荷をかけることなく、係止具Ｇの周辺の屋根材を好適に切削することができる。【選択図】図４
2019014063.tif 000002
【特許請求の範囲】
【請求項１】
先端に刃部を有する円筒状刃物と、
屋根材を固定している係止具を保持する保持部と、
前記保持部を前記円筒状刃物の内方へ後退可能に支持している伸縮軸部と、
前記伸縮軸部を軸心にして前記円筒状刃物を回転させる駆動部と、
を備え、
前記伸縮軸部は、
前記円筒状刃物が回転していない状態では、前記円筒状刃物の内側に止着されており、
前記屋根材を切削するために前記円筒状刃物が回転される際には止着が解除され、前記保持部を支持している前記伸縮軸部の少なくとも一部が前記円筒状刃物に対し空転可能に切り替わるように構成されていることを特徴とする屋根材取り外し補助工具。
【請求項２】
前記伸縮軸部は、径が異なる複数の筒体が嵌め合わされてなるテレスコピック構造を有し、その最外側の第１筒体は、前記円筒状刃物の内側に固定されており、
前記第１筒体の内周面側と、前記第１筒体に嵌め合わされている第２筒体の外周面側には、それぞれ磁石が設けられており、
前記磁石の磁力によって、第２筒体が前記第１筒体の内側に止着されることで、前記伸縮軸部の一部が前記円筒状刃物の内側に止着されることを特徴とする請求項１に記載の屋根材取り外し補助工具。
【請求項３】
互いに嵌め合わされている前記筒体の間には、その筒体同士を離間する方向に付勢するバネ部材が配設されていることを特徴とする請求項２に記載の屋根材取り外し補助工具。
【発明の詳細な説明】
【技術分野】
【０００１】
本発明は、係止具で固定されている屋根材を取り外す際に、係止具の周辺の屋根材を切除する屋根材取り外し補助工具に関する。
【背景技術】
【０００２】
従来、屋根材の葺き替えを行うにあたり、係止具で固定されている古い屋根材を撤去する際にその係止具を取り外すため、係止具の周辺の屋根材に穿孔を施して屋根材を切削するホールソーが知られている（例えば、特許文献１参照。）。
このホールソーは、屋根材の上面に突き出ている係止具の端部を摺動子で保持した状態でカット刃の付いた筒状本体を回転させ、係止具の周辺の屋根材に穿孔を施し、切除した屋根材ごと係止具を取り外す作業に使用される。
そして、このホールソーは、屋根材に穿孔を施した後も、ホールソーの摺動子が係止具の端部を保持するようになっており、取り外した係止具を下方に落さないように保持し、作業の安全性を確保している。
【先行技術文献】
【特許文献】
【０００３】
【特許文献１】特開２００７−８３３２４号公報
【発明の概要】
【発明が解決しようとする課題】
【０００４】
しかしながら、上記特許文献１のホールソーの場合、筒状本体とともに摺動子が回転するので、その回転力や振動が摺動子を介して係止具に伝達されてしまい、係止具に負荷がかかってしまうことがある。
葺き替えを行う古い屋根材の係止具は錆びるなど劣化しているものがあるので、劣化した係止具の取り外しに上記特許文献１のホールソーを用いた場合、回転力や振動の負荷によって係止具が破断してしまい、その係止具の一部が屋根から下方に落下するトラブルが発生してしまうおそれがあった。
【０００５】
本発明の目的は、係止具で固定されている屋根材を撤去するために、屋根材を固定している係止具を取り外す際、係止具の周辺の屋根材を好適に切削することができる屋根材取り外し補助工具を提供することである。
【課題を解決するための手段】
【０００６】
上記目的を達成するため、この発明は、屋根材取り外し補助工具であって、
先端に刃部を有する円筒状刃物と、
屋根材を固定している係止具を保持する保持部と、
前記保持部を前記円筒状刃物の内方へ後退可能に支持している伸縮軸部と、
前記伸縮軸部を軸心にして前記円筒状刃物を回転させる駆動部と、
を備え、
前記伸縮軸部は、
前記円筒状刃物が回転していない状態では、前記円筒状刃物の内側に止着されており、
前記屋根材を切削するために前記円筒状刃物が回転される際には止着が解除され、前記保持部を支持している前記伸縮軸部の少なくとも一部が前記円筒状刃物に対し空転可能に切り替わるように構成されているようにした。
【０００７】
かかる構成の屋根材取り外し補助工具であれば、屋根材を固定している係止具を取り外すために、その係止具の周辺の屋根材を切削するように円筒状刃物を回転させる場合、係止具を保持している保持部を支持する伸縮軸部の少なくとも一部が円筒状刃物に対し空転するので、円筒状刃物が屋根材を切削する回転力は係止具には作用せず、その係止具に負荷をかけることなく、係止具の周辺の屋根材を好適に切削することができる。
【０００８】
また、望ましくは、
前記伸縮軸部は、径が異なる複数の筒体が嵌め合わされてなるテレスコピック構造を有し、その最外側の第１筒体は、前記円筒状刃物の内側に固定されており、
前記第１筒体の内周面側と、前記第１筒体に嵌め合わされている第２筒体の外周面側には、それぞれ磁石が設けられており、
前記磁石の磁力によって、第２筒体が前記第１筒体の内側に止着されることで、前記伸縮軸部の一部が前記円筒状刃物の内側に止着されるようにする。
【０００９】
こうすることで、円筒状刃物が回転していない状態では、磁石の磁力によって伸縮軸部を円筒状刃物の内側に好適に止着させておくことができる。一方、屋根材を切削するために円筒状刃物が回転される際には、係止具を保持している保持部を支持する伸縮軸部の少なくとも一部が、磁石の磁力に抗して円筒状刃物に対し空転可能に好適に切り替わるようにすることができる。
【００１０】
また、望ましくは、
互いに嵌め合わされている前記筒体の間には、その筒体同士を離間する方向に付勢するバネ部材が配設されているようにする。
【００１１】
こうすることで、伸縮軸部はバネ部材が伸長することで伸長され、また伸縮軸部が収縮される際にはバネ部材が収縮するようになる。こうしてテレスコピック構造を有する伸縮軸部が好適に伸縮する。
【発明の効果】
【００１２】
本発明によれば、屋根材を固定している係止具を取り外す際、係止具の周辺の屋根材を好適に切削することができる。
【図面の簡単な説明】
【００１３】
【図１】本実施形態の屋根材取り外し補助工具を示す概略図である。
【図２】本実施形態の屋根材取り外し補助工具の要部（円筒状刃物、保持部、伸縮軸部）を示す断面図である。
【図３】コイルバネを不図示にした伸縮軸部の説明図であり、伸縮軸部が伸長した状態（ａ）と、伸縮部材が収縮した状態（ｂ）である。
【図４】屋根材取り外し補助工具によって屋根材を切除する手順を示す説明図である。
【図５】屋根材取り外し補助工具によって屋根材を切除する手順を示す説明図である。
【図６】屋根材取り外し補助工具によって屋根材を切除する手順を示す説明図である。
【図７】屋根材取り外し補助工具によって屋根材を切除する手順を示す説明図である。
【図８】屋根材取り外し補助工具の変形例に関する説明図である。
【図９】屋根材取り外し補助工具の変形例に関する説明図である。
【発明を実施するための形態】
【００１４】
以下、図面を参照して、本発明に係る屋根材取り外し補助工具の実施形態について詳細に説明する。但し、以下に述べる実施形態には、本発明を実施するために技術的に好ましい種々の限定が付されているが、本発明の範囲を以下の実施形態及び図示例に限定するものではない。
【００１５】
本実施形態の屋根材取り外し補助工具１００は、図１、図２、図４に示すように、先端に刃部１０ａを有する円筒状刃物１０と、屋根材を固定している係止具Ｇを保持する保持部２０と、保持部２０を円筒状刃物１０の内方へ後退可能に支持している伸縮軸部３０と、伸縮軸部３０を軸心にして円筒状刃物１０を回転させる駆動部として機能する電動ドライバー装置４０等を備えている。
【００１６】
円筒状刃物１０は、切削対象物（本実施形態では屋根材）を円形にくり抜くように切削して穿孔を施す刃物である。
この円筒状刃物１０の基端部には軸継手１０ｂが固設されており、その軸継手１０ｂの外端側には電動ドライバー装置４０のチャック部４１に固定される回転軸１０ｃが固設されている。
【００１７】
保持部２０は、伸縮軸部３０の先端であって、後述する第４筒体３４に固設されており、屋根材を固定している係止具Ｇの端部を保持する機能を有している。
例えば、保持部２０は略円筒形状を有する磁石を備えており、係止具Ｇであるピンやボルトを磁力によって保持することが可能になっている。
また、例えば、保持部２０は略円筒形状を有し、その内周面に雌ネジが形成されている部材であり、係止具Ｇであるピンやボルトの端部に形成されている雄ネジと螺着することで、その係止具Ｇを保持することが可能になっている。
【００１８】
伸縮軸部３０は、例えば、図２に示すように、円筒状刃物１０の内部空間に収容されて配設されている。
本実施形態の伸縮部材３０は、図２、図３（ａ）（ｂ）に示すように、径が異なる４つの筒体３１，３２，３３，３４が嵌め合わされて、伸縮可能に連結されたテレスコピック構造を有しており、円筒状の各筒体の間にはコイルバネ３５，３６，３７が配設されている。なお、図３（ａ）（ｂ）では、伸縮部材３０のコイルバネの図示を省略している。
具体的には、最外側の第１筒体３１に第２筒体３２が嵌め合わされており、第１筒体３１と第２筒体３２の間にコイルバネ３５が配設されている。同様に、第２筒体３２に第３筒体３３が嵌め合わされており、第２筒体３２と第３筒体３３の間にコイルバネ３６が配設され、第３筒体３３に第４筒体３４が嵌め合わされており、第３筒体３３と第４筒体３４の間にコイルバネ３７が配設されている。
そして、コイルバネ３５，３６，３７が伸長することで伸縮部材３０が伸長され、伸縮部材３０が収縮される際にはコイルバネ３５，３６，３７も収縮されるようになっている。
【００１９】
最外側の第１筒体３１は、その基端部に連結軸３１ａが設けられている。
この第１筒体３１の連結軸３１ａが円筒状刃物１０の軸継手１０ｂの内端側に連結され、第１筒体３１が円筒状刃物１０の内側に固定されるようにして、伸縮軸部３０が円筒状刃物１０の内部空間に配設されている。
最内側の第４筒体３４は、その先端部に保持部２０が設けられている。
【００２０】
また、第１筒体３１の内周面側と、第２筒体３２の外周面側には、それぞれ磁石５０が設けられている。
そして、コイルバネ３５が伸長した状態で第１筒体３１の磁石５０と第２筒体３２の磁石５０が対向する配置（図２、図３（ａ）参照）になると、その磁石５０の磁力によって第２筒体３２が第１筒体３１の内側に止着されるようになる。
ここで、第２筒体３２は第１筒体３１に対し、伸縮軸部３０の軸心を中心にして回転可能に連結されているので、磁石５０の磁力に抗する回転力が第１筒体３１又は第２筒体３２に作用すると、その止着が解除されて第２筒体３２は第１筒体３１の内側で空転可能に切り替わる。
また、コイルバネ３５が収縮して、第１筒体３１の磁石５０と第２筒体３２の磁石５０が軸線方向にずれた配置（図３（ｂ）参照）になっても、磁石５０の磁力による止着が解除されて第２筒体３２は第１筒体３１の内側で空転可能に切り替わる。
【００２１】
なお、第２筒体３２と第３筒体３３の間および第３筒体３３と第４筒体３４の間には回り止め（図示省略）が設けられており、第３筒体３３は第２筒体３２に対し、第４筒体３４は第３筒体３３に対して伸縮軸部３０の軸心を中心にした回転が規制されている。
つまり、第３筒体３３と第４筒体３４は、第２筒体３２が第１筒体３１の内側で回転する際、第２筒体３２と一体的に伸縮軸部３０の軸心を中心にして回転し空転するようになっている。
【００２２】
電動ドライバー装置４０は、モータ駆動部（図示省略）や電源部（図示省略）などを備えており、チャック部４１に固定された回転軸１０ｃをその軸心を中心に回転させる周知の装置である。
本実施形態での電動ドライバー装置４０は、チャック部４１に固定された回転軸１０ｃを回転させて円筒状刃物１０を回転させる。
【００２３】
次に、係止具Ｇで固定されている屋根材を取り外して撤去するために、本実施形態の屋根材取り外し補助工具１００によって屋根材を切除して係止具Ｇを取り外す手順について説明する。なお、屋根材を切除する手順を示す図４〜図７、図８〜図９において、屋根材取り外し補助工具１００における電動ドライバー装置４０と伸縮部材３０のコイルバネ（３５，３６，３７）の図示を省略している。
【００２４】
図４に示すように、例えば、屋根材である野地板Ｐ１に対し、屋根材である波板Ｐ２が係止具Ｇによって固定されている場合、その係止具Ｇを取り外すために、屋根材取り外し補助工具１００によって係止具Ｇの周辺の屋根材に穿孔を施して屋根材を切除する作業を行う。
【００２５】
まず、図４に示すように、屋根材（野地板Ｐ１、波板Ｐ２）を固定している係止具Ｇの端部Ｔを、伸縮軸部３０の先端に固設されている保持部２０で保持する。
このとき、磁石５０の磁力によって第２筒体３２が第１筒体３１の内側に止着されており、伸縮軸部３０は回転していない円筒状刃物１０の内側に止着されてその姿勢が安定しているので、係止具Ｇの端部Ｔを保持部２０で保持し易くなっている。
【００２６】
次いで、図示しない電動ドライバー装置４０を操作し、図５に示すように、伸縮軸部３０を軸心に円筒状刃物１０を回転させて、その円筒状刃物１０を波板Ｐ２に向けて押し込むようにして、係止具Ｇの周辺の波板Ｐ２に穿孔を施す。
このとき、図示しないコイルバネとともに伸縮部材３０が収縮することで、係止具Ｇの端部Ｔを保持している保持部２０が円筒状刃物１０の内方へ後退する。
そして、円筒状刃物１０で波板Ｐ２に穿孔を施す際、円筒状刃物１０とともに第１筒体３１が回転するが、係止具Ｇの端部Ｔを保持している保持部２０と一体に繋がれている第４筒体３４と第３筒体３３と第２筒体３２は第１筒体３１の内側で空転し、円筒状刃物１０に対し空転するように切り替わる。
つまり、円筒状刃物１０が波板Ｐ２を切削する回転力は係止具Ｇには作用せず、その係止具Ｇに負荷をかけることなく、係止具Ｇの周辺の波板Ｐ２に穿孔を施すことができる。
【００２７】
さらに、図６に示すように、回転させている円筒状刃物１０を野地板Ｐ１に向けて押し込むようにして、係止具Ｇの周辺の野地板Ｐ１に穿孔を施す。
この野地板Ｐ１に穿孔を施す際も同様に、係止具Ｇの端部Ｔを保持している保持部２０と一体に繋がれている第４筒体３４と第３筒体３３と第２筒体３２は第１筒体３１の内側で空転し、円筒状刃物１０に対し空転するので、係止具Ｇに負荷をかけることなく、係止具Ｇの周辺の野地板Ｐ１に穿孔を施すことができる。
特に、伸縮部材３０が収縮して、保持部２０が円筒状刃物１０の内方の限界まで後退すると、第１筒体３１の磁石５０と第２筒体３２の磁石５０が軸線方向にずれた配置となり（図６参照）、磁石５０の磁力による止着が解除されるので、保持部２０と一体に繋がれている第４筒体３４と第３筒体３３と第２筒体３２は第１筒体３１の内側で空転自在になって円筒状刃物１０に対し空転するようになる。
【００２８】
そして、図７に示すように、屋根材取り外し補助工具１００は、穿孔を施して切除した屋根材（野地板Ｐ１、波板Ｐ２）ごと係止具Ｇを保持部２０で保持することができる。
なお、屋根材（野地板Ｐ１、波板Ｐ２）ごと取り外した係止具Ｇは、作業員によって屋根の上で回収され、係止具Ｇを屋根から落下させないようになっている。
こうして、屋根材（野地板Ｐ１、波板Ｐ２）から全ての係止具Ｇを取り外せば、野地板Ｐ１上の波板Ｐ２を撤去でき、次いで野地板Ｐ１を撤去することができる。
【００２９】
このように、本実施形態の屋根材取り外し補助工具１００であれば、係止具Ｇに負荷をかけることなく、係止具Ｇの周辺の屋根材（野地板Ｐ１、波板Ｐ２）を好適に切削して切除することができ、その切除した屋根材（野地板Ｐ１、波板Ｐ２）ごと係止具Ｇを取り外すことができる。
【００３０】
なお、本発明は上記実施形態に限られるものではない。
上記実施形態では、屋根材取り外し補助工具１００によって、波板Ｐ２と野地板Ｐ１に穿孔を施し、その切除した屋根材（野地板Ｐ１、波板Ｐ２）ごと係止具Ｇを取り外すとしたが、屋根材取り外し補助工具１００によって穿孔を施すのは、野地板Ｐ１の上に配されている波板Ｐ２だけであってもよい。
例えば、図５に示したように、係止具Ｇの周辺の波板Ｐ２に穿孔を施した後、波板Ｐ２から円筒状刃物１０を引き抜くと、波板Ｐ２の切除部分とともに係止具Ｇは野地板Ｐ１上に残る。
そして、全ての係止具Ｇの周辺の波板Ｐ２に穿孔を施せば、波板Ｐ２の切除部分とともに全ての係止具Ｇが波板Ｐ２から切り離された状態になるので、野地板Ｐ１上の波板Ｐ２を撤去することが可能になる。
そして、波板Ｐ２を撤去した後、野地板Ｐ１上に残っている係止具Ｇを野地板Ｐ１とともに撤去するようにしてもよい。
【００３１】
また、本発明は上記実施形態に限られるものではない。
例えば、図８に示すように、円筒状刃物１０の刃部１０ａよりも保持部２０が突出した配置に設けられていてもよい。こうすることで、係止具Ｇの端部Ｔを保持部２０で保持し易くなる。
なお、刃部１０ａから保持部２０が突出している寸法は、筒体の軸線方向に沿う磁石５０の寸法と略同じか、或いは同等以上の寸法である。
また、このとき、コイルバネ３６の弾性反発力よりも、コイルバネ３５の弾性反発力と磁石５０の磁着力を合わせた力の方が弱く、かつコイルバネ３７の弾性反発力よりも、コイルバネ３５の弾性反発力と磁石５０の磁着力を合わせた力の方が弱くなるように設計する。
こうすることで、図９に示すように、円筒状刃物１０を波板Ｐ２に向けて押し込み、円筒状刃物１０の刃部１０ａが波板Ｐ２に当たる際、第２筒体３２が第１筒体３１に対して後退し、第１筒体３１の磁石５０と第２筒体３２の磁石５０が軸線方向にずれた配置となり、磁石５０の磁力による止着が解除されるようになる。
つまり、円筒状刃物１０が波板Ｐ２に穿孔を施す際には、保持部２０と一体に繋がれている第４筒体３４と第３筒体３３と第２筒体３２は第１筒体３１の内側で空転自在になって円筒状刃物１０に対し空転するので、円筒状刃物１０が波板Ｐ２を切削する回転力は係止具Ｇには作用せず、その係止具Ｇに負荷をかけることなく、係止具Ｇの周辺の波板Ｐ２に穿孔を施すことが可能になる。
【００３２】
なお、以上の実施の形態においては、保持部２０は磁石の磁力によって係止具Ｇを保持したり、保持部２０が係止具Ｇと螺着してその係止具Ｇを保持したりするとしたが、本発明はこれに限定されるものではなく、保持部２０は弾性部材の付勢力や、粘着部材の粘着力などを利用して係止具Ｇを保持するようにしもよい。
【００３３】
また、その他、具体的な細部構造等についても適宜に変更可能であることは勿論である。
【符号の説明】
【００３４】
１０    円筒状刃物
１０ａ  刃部
１０ｂ  軸継手
１０ｃ  回転軸
２０    保持部
３０    伸縮軸部
３１    第１筒体
３１ａ  連結軸
３２    第２筒体
３３    第３筒体
３４    第４筒体
３５、３６、３７  コイルバネ（バネ部材）
４０    電動ドライバー装置（駆動部）
５０    磁石
１００  屋根材取り外し補助工具
Ｇ      係止具
Ｔ      係止具の端部
Ｐ１    野地板（屋根材）
Ｐ２    波板（屋根材）
【図１】
2019014063.tif 000003
【図２】
2019014063.tif 000004
【図３】
2019014063.tif 000005
【図４】
2019014063.tif 000006
【図５】
2019014063.tif 000007
【図６】
2019014063.tif 000008
【図７】
2019014063.tif 000009
【図８】
2019014063.tif 000010
【図９】
2019014063.tif 000011